(57)【要約】      （修正有）【課題】親の近傍で歩行するよう子どもを訓練し、且つ、係る歩行を行うよう子どもを奨励するための装置および方法を提供する。【解決手段】カラビナは、１つまたは複数のハンドルストラップの他に、リストストラップ等の第１ストラップに連結される。各ハンドルストラップは、それぞれのハンドルを備えるか、またはそれぞれのハンドルに動作可能に連結される。ハンドルストラップは、カラビナと着脱可能に係合される。すなわち、ハンドルストラップは、カラビナまたは他の連結機構に取り付けられたストラップの個数を変化させるために、所望により追加または取り去り得るものである。このようにして、親は１つのストラップを堅持し、または、係るストラップをベビーカーあるいはバックパック等の他の装置に取り付け、複数の子どもに対して、親とともに歩行するよう指示し得る。【選択図】図１
2011120910.tif 000002
【特許請求の範囲】
【請求項１】
カラビナと、
前記カラビナと着脱可能に係合するストラップと、
それぞれのハンドルにそれぞれ動作可能に取り付けられた、複数のハンドルストラップと、
を備え、
各ハンドルストラップは前記カラビナと着脱可能に係合する、キット。
【請求項２】
前記複数のハンドルストラップは、３つのハンドルストラップからなる、請求項１に記載のキット。
【請求項３】
前記３つのハンドルストラップはそれぞれ前記カラビナに着脱可能に取り付けられた、請求項２に記載のキット。
【請求項４】
前記ストラップは人により保持される、請求項１に記載のキット。
【請求項５】
前記ストラップは、ベビーカーに着脱可能に取り付けられる、請求項１に記載のキット。
【請求項６】
前記ハンドルは、子どもにより保持される、請求項１に記載のキット。
【請求項７】
各前記ハンドルストラップの長さは調節可能である、請求項６に記載のキット。
【請求項８】
前記カラビナはＤ字形のカラビナである、請求項１に記載のキット。
【請求項９】
少なくとも１つのハンドルストラップは剛性である、請求項１に記載のキット。
【請求項１０】
前記ハンドルストラップは、前記ハンドルストラップの中間部分において安全解放具を備える、請求項９に記載のキット。
【請求項１１】
親の直接作業管理下にある装置にストラップを取り付けることと、
複数のハンドルストラップのうちの各ハンドルストラップは、ハンドルにあらかじめ取り付けられていて、前記複数のハンドルストラップと前記ストラップとの間に位置するカラビナにより、前記複数のハンドルストラップを前記ストラップに取り付けることと、
前記子どもに対し、別個の前記ハンドルをそれぞれが堅持するよう指示することと、
を含む、子どもと歩行する方法。
【請求項１２】
親の直接作業管理下にある前記装置は前記親の手である、請求項１１に記載の方法。
【請求項１３】
親の直接作業管理下にある前記装置はベビーカーである、請求項１１に記載の方法。
【請求項１４】
各前記ハンドルストラップの長さは別個に調節可能であり、前記長さは、前記親の腕の長さの範囲内を含む、請求項１１に記載の方法。
【請求項１５】
前記複数のハンドルストラップは３つのハンドルストラップである、請求項１４に記載の方法。
【請求項１６】
前記カラビナはＤ字形のカラビナである、請求項１１に記載の方法。
【請求項１７】
前記ストラップは剛性である、請求項１１に記載の方法。
【請求項１８】
危険な状況が発生したと前記親が判断すると、前記親は、安全解放具を用いて、前記ストラップを、前記ストラップの中央位置において分離する、請求項１１に記載の方法。
【請求項１９】
複数の子どもを管理するための装置であって、
第１端部を、親の直接作業管理下にある装置に結びつけるための手段と、
前記親に対する前記第１端部の相対的位置を保持しながら、前記装置の複数の第２端部が前記親に対して回転することを可能にするための手段と、
各ハンドル手段は前記複数の子どものうちの１人の子どもによる把握可能な係合のために構成された、複数のハンドル手段と、
を備える、装置。
【請求項２０】
親の直接作業管理下にある前記装置はベビーカーであり、請求項１９に記載の前記装置は前記ベビーカーに着脱可能に取り付けられている、請求項１９に記載の装置。
【請求項２１】
親の直接作業管理下にある前記装置は、前記親の身体部分である、請求項１９に記載の装置。
【請求項２２】
前記複数のハンドルのうちの各ハンドルは長さが調節可能である、請求項１９に記載の装置。
【請求項２３】
前記複数のハンドル手段は３つのハンドル手段である、請求項１９に記載の装置。
【請求項２４】
少なくとも２人の子どもが前記ハンドルと把握可能に係合する、請求項１９に記載の装置。
【請求項２５】
緊急状況において使用するための分離手段を前記ストラップ内においてさらに備える、請求項１９に記載の装置。
【発明の詳細な説明】
【技術分野】
【０００１】
本開示技術は、全般的には、子ども訓練装置に関し、さらに詳細には、歩行中の子どもを監督するための装置に関する。
【背景技術】
【０００２】
幼い子どもを安全に導くことは、親にとって周知の問題である。心理学者らの論によれば、親が発する指示に通常の子どもが従うのは、全時間のうちのおよそ５０％のみである。公共区域において子ども（単数または複数）との歩行中において、このことは、危険を、または、親にとっての緊張状況を意味する。子どもの中には、長時間にわたりベビーカー内に甘んじて留まる者もいる一方で、大部分の子どもは、独立性を所望し、乗る能力よりもむしろ歩く能力を所望する。これらのとき、親の周囲に集まる子どももいる一方、迷子になりがちな子どももいる。または迷子にならずとも、少なくともその親（単数または複数）からは遠くなりすぎるように移動する。他者が、親と子どもとの間の空間に入り込むと、そのことは親に対し懸念をもたらす傾向があり、その懸念には、十分に正当な理由がある。
【０００３】
１人の幼い子どもとともに歩行するときは、子どもの手を保持することは十分に容易である。しかし、子どもが、大人の手を保持することを所望し得ず、または歩くことを所望し得ないときもある。大人の手は、他の子どもの手および荷物等を保持することもあり、またはベビーカーを押すこともある。その結果、子どもを物理的に監督することが極めて困難となる。２人の子どもとともに歩行するときは、１人の子どもが他方の子どもに対し敵対行動をとり得るため、状況は、指数関数的により困難なものとなる。手は、マルチタスクを実行する必要があり、１人の子どもを追跡している間、他の子どもから目を離すべきでなく、さらに、「従順」な子どもは、他の子どもが従順でないという理由のために、従順であることをやめるよう決心し得る。３人の子どもとともに歩行するときは、困難な状況の程度は、もはや３乗にまで上昇する。３つの異なる方向に向かって、脇に寄る、および／または走り去る幼い子どもが３人いる親は、気の毒である。
【０００４】
子どもとともに歩行する問題については、先行技術において対処されてきた。例えば、子どもの胴部または他の身体部分の周囲に取り付けられるハーネスが周知である。親は、犬の散歩者が綱を持つのとほぼ同様の方法で、ロープの一端を堅持する。無論のこと、すべての人が、社会的に許容されていない綱状の製品に子どもを繋ぐことを望むとは限らない。加えて、複数の子どもは、複数の綱を要求し、依然としてあらゆる種類の方向に向かって脇に寄ることが可能である。そのため、もつれを生じさせ、親に苛立ちを覚えさせる。この方法も、子どもが親の近傍に留まることの訓練について、寄与するところがほとんどない。世話人が装置の前部を保持し６人から１２人の子どもがその大人の後方に列をなして続く、教室等の状況用に設計された歩行用ロープが市場に存在する。この構成が理想的であるのは、例えば、世話人が学級等の多数の子どもとともに歩行する等の限られた状況下においてのみである。
【０００５】
必要とされるのは、特に２人以上の子どもの場合に、子どもを実際に抑制する必要なく、且つ、子どもまたは装置のもつれを憂慮する必要なく、同時に子どもの聞くスキルおよび歩くスキルを奨励する、幼い者とともに歩行するための装置または方法である。
【発明の概要】
【発明が解決しようとする課題】
【０００６】
したがって、本開示技術の１つの目的は、親の近傍で歩行するよう子どもを訓練することである（なお「親」は、大人、より年長の子ども、保護者、または世話人のうちのいずれか１つであり得る）。
【０００７】
本開示技術の他の目的は、複数の子どもとともに歩行するよう構成された装置を提供することである。
【０００８】
本開示技術のさらに他の目的は、安全のための解放およびもつれの防止を有する係る装置を提供することである。
【課題を解決するための手段】
【０００９】
本開示技術の１つの実施形態は、カラビナと、カラビナと着脱可能に係合するストラップと、それぞれのハンドルに動作可能にそれぞれ取り付けられた複数のハンドルストラップとを有するキットを含む。各ハンドルストラップはカラビナと着脱可能に係合し、それにより、３つ等の多数のストラップをカラビナに追加することを可能にする。カラビナは、人またはベビーカーとカラビナとの間のストラップにより、人、ベビーカー、または（親等の）人の作業管理下にある他の装置から、可変距離を隔てて保たれてもよい。２つ、３つ、４つ、またはより多数のハンドルストラップが使用されてもよく、１人の子どもが各ハンドルストラップを堅持してもよい。ハンドルストラップは、長さにおいて（例えば、親の腕の長さに）調節可能であり、剛性を有してもよく、ストラップが、もつれ時または他の緊急時の場合に、カラビナにおいてのみではなく、ストラップ内のいずれかの位置においても解放可能であるよう、ストラップの中央部分において安全解放具を有してもよい。カラビナはＤ字型であってもよい。
子どもとともに歩行する方法は、本開示技術の１つの実施形態において、親の直接作業管理下にある装置にストラップを取り付けることにより、進行する。係る装置は、例えば、ベビーカーまたは親の手であってもよい。複数のハンドルストラップが、カラビナにより、親の直接作業管理下にあるストラップに取り付けられる。複数のハンドルストラップのうちの各ハンドルストラップはハンドルにあらかじめ取り付けられていて、子どもはハンドルを堅持するよう指示される。このようにして、１人、２人、３人、４人、またはさらに多数の子どもが、親（または他の大人）の近傍で歩行するよう訓練されながら、何かを堅持することに対して、愉快および啓発を感じることであろう。
【００１０】
各ハンドルストラップは、別個に調節可能であってもよく、ハンドルストラップの長さは、緊急時または不作法時に子どもに容易に手を伸ばし得るよう、および、必要時に、安全解放具を用いることにより、カラビナからハンドルを取り外し得るよう、親の腕の長さであってもよい。同様に、上述した本開示技術に係る装置の特徴は、本方法に組み込まれてもよい。
【００１１】
複数の子どもを統御するための装置である、本開示技術に係る他の装置は、親の直接作業管理下にある装置の第１端部を結びつけるための手段と、第１端部の親に対する相対的位置を維持しつつ複数の第２端部を親に対して回転することを可能とする手段と、複数のハンドル手段とを有する。ただし、この装置において、各ハンドル手段は子どもにより把握可能に係合されるよう構成される。親の直接作動管理下にある係る装置は、ベビーカーまたは親自身であってもよく、本開示技術に係る装置は、ベビーカーに対し、または親に対し着脱可能に取り付けられてもよい。上記で開示した方法または装置は、本明細書に開示する手段と組み合わされてもよく、または本明細書に開示する手段のいくつかを形成してもよい。
【図面の簡単な説明】
【００１２】
【図１】本開示技術の実施形態に係る方法において用いられる、本実施形態に係る装置を示す図である。
【図２】本開示技術の実施形態に係る、リストストラップおよび複数のハンドストラップを示す図である。
【図３Ａ】本開示技術の実施形態において用いられる、カラビナを有するリストストラップの側面図である。
【図３Ｂ】図３Ａに示す装置の正面図である。
【図３Ｃ】図３Ａに示す装置の反対側の側面図である。
【図４Ａ】本開示技術の実施形態において用いられる、ハンドルを有するハンドストラップの側面図である。
【図４Ｂ】図４Ａに示す装置の正面図である。
【図４Ｃ】図４Ａに示す装置の反対側の側面図である。
【図５】本開示技術の実施形態において用いられるハンドルを示す図である。
【図６】単一のハンドストラップおよびハンドルを有する、本開示技術の実施形態に係るキット全体を示す図である。
【図７】複数のハンドストラップおよびハンドルを有する、本開示技術の実施形態に係るキット全体を示す図である。
【図８】使用者が、本開示技術の実施形態における、カラビナおよび複数のハンドストラップに連結されたリストストラップを保持することの詳細を示す図である。
【図９】本開示技術の実施形態における、ベビーカーに連結され、且つ、カラビナおよび複数のハンドストラップに連結されたリストストラップの詳細を示す図である。
【発明を実施するための形態】
【００１３】
本開示技術の実施形態は、親の近傍で歩行するよう子どもを訓練し、且つ、係る歩行を行うよう子どもを奨励するための装置および方法を含む。本開示技術に係る装置は、犬の散歩、大人または子どもと同行するハイキング、スキーレッスン、パレードの隊列歩行、および、複数の当事者がともにとどまる、または互いに所定の距離を置いてとどまらなければならない他の歩行上の必要性等の、任意の目的のために適用され得る。本開示の目的のためには、親は、生物学上の親のみに限られず、他者の歩行場所を監督する、法律上の保護者、世話人、大人、年長の兄弟等であってもよい。子どもは、９歳以下の任意の人であってもよく、またあるいは、本開示技術の実施形態に係るハンドルを堅持する任意の人または物であってもよい。
【００１４】
本開示技術に係る装置は、カラビナ、または、リストストラップ等の第１ストラップに連結された他の任意の連結機構（例えば、リング、噛み合うループ、結び目等）の他に、１つまたは複数のハンドルストラップを備える。各ハンドルストラップは、それぞれのハンドルを備えるか、またはそれぞれのハンドルに動作可能に連結される。ハンドルストラップは、カラビナと着脱可能に係合される。すなわち、ハンドルストラップは、カラビナまたは他の連結機構に取り付けられたストラップの個数を変化させるために、所望により追加または取り去り得るものである。このようにして、親は１つのストラップを堅持し（または、係るストラップをベビーカーまたはバックパック等の他の装置に取り付け）、親とともに歩行するよう複数の子どもに指示する。
【００１５】
本開示技術の実施形態は、以下の図面の説明に照らし合わせると、より明らかになるであろう。
【００１６】
図１は、本開示技術の実施形態に係る方法において用いられる、本実施形態に係る装置を示す。有用な装置および方法が本明細書の以下においてさらに詳細に説明される一方で、図１は２人の子どもと歩行する女性を示す。女性は、カラビナに動作可能に連結され（あらかじめ取り付けられ）たストラップを手首に巻き付けている。任意の形状のカラビナ、任意のリング、または他の装置に対する摺動可能な接続を提供する機構等の、他の連結機構が本開示技術の実施形態において用いられてよいが、この特定のカラビナは、Ｄ字型である。１つ、２つ、３つ、４つ、または５つのストラップ等のハンドルストラップは、カラビナに取り付けられ、緊急時または他の物体とのもつれ等の場合に、ハンドルストラップを、ストラップに沿ういずれかの位置において分離することを可能とするために、中央部等のハンドルストラップに沿ういずれかの位置において緊急脱合スイッチまたは緊急脱合機構を備える。ハンドルは、ハンドルストラップの端部に取り付けられ、子どもはハンドルを堅持するよう指示されてもよい。ハンドルは、玩具または子どもが堅持することを好む他の物であってもよい。このようにして、子どもは抑制されるのではなく、むしろ、愉快な方法で親とともに歩行するよう奨励される。各子どもは、色、形状、ロゴ、または堅持するための装置等、子どもが認識できるための、各自に特定の標識を有するハンドルを、有してもよい。例えば、子どもが、いつもしなれているように、ただぬいぐるみ動物を堅持するよう、子どものぬいぐるみ動物がハンドルストラップに取り付けられてもよい。確実に子どもが近傍にいるようにするために、ぬいぐるみ動物が、他の装置を介して、親またはベビーカーに取り付けられるのである。
【００１７】
図２は、本開示技術の実施形態に係る、リストストラップおよび複数のハンドストラップを示す。リストストラップ１００は、本開示技術の実施形態において、長さが９インチ（２２．８６ｃｍ）、または、１インチ（２．５４ｃｍ）（例えば、クリップ）から２４インチ（６０．９６ｃｍ）までの長さ等の、使用者あるいはその製造者が所望する任意の長さであってもよい。リストストラップ１００は、実施形態において、連結具１５０において集結する閉ループであり、例えば、そこにおいてロゴが配置されてもよい。連結具１５０は、本開示技術の実施形態において、剛性であってもよく、または、可撓性であってもよい。可撓性の連結具は、例えば、ナイロン帯製でもよい。連結具１５０は、ストラップのための連結具、すなわちストラップがループ状に通る場所をさらに提供する。同様に、連結具１５０は、カラビナ２００にも着する。本開示技術の実施形態において、ストラップ１００は、直接カラビナ２００に着してもよい。ストラップ、連結具、およびカラビナは、それぞれ剛性でもよく、または可撓性でもよい。
【００１８】
図２に示すように、カラビナ２００はＤ字形、すなわち、平坦側を有し且つ平坦側の両端が半円側と一体構造を形成する形状であってもよい。このことは、平坦側がリストストラップ１００に対して直角であることを可能にし、半円側は、親の周りにおける、ストラップに係合された子どもによる曲線状の動きを可能にする。また、カラビナ開口部２５０は、カラビナのＤ字形部分を分離して、ハンドストラップの追加または取り去り、またはベビーカーへの直接の取り付けを可能とするために、用いられてもよい。鍵、鞄、または他の物品が、カラビナに取り付けられてもよい。
【００１９】
ハンドストラップ３００（図２において、３つが隣り合わせに示される）は、本開示技術の実施形態において、ハンドストラップ３００の第１部分３２０をカラビナ２００に動作可能に係合する連結ループ３１０を備える。ハンドストラップの長さは、本開示技術の実施形態において、調節可能である。変更可能な高さおよび腕の長さを用いて、親による最大限の管理を提供するために、例えば、ストラップの長さは、３インチ（７．６２ｃｍ）または４インチ（１０．１６ｃｍ）から１４．２５インチ（３６．２０ｃｍ）の間の長さに調節されてもよい。３２０の材料はループ状に調節バックル３６０を通り、それにより、この調節可能性が可能となる。安全解放具３４０は、ハンドストラップの第１部分３２０と第２部分３５０とを連結し、上側部分（第１部分）から下側部分（第２部分）を分離することを可能にする。ハンドル４００は、下側の第２部分３５０に取り付けられる。ハンドストラップ３００は、任意の構成で可撓性要素および／または剛性要素を備えてもよい。
【００２０】
図２の参照を続けると、本開示技術の実施形態において、リストストラップ１００、連結具１５０、およびカラビナ２００は、あらかじめ取り付けられていて、容易には脱合できない（係る物品の分離には、多数のステップを必要とするかまたは多大な時間を必要とするプロセスが要求される、という意味である）。安全上の理由から、安全解放具は容易に脱合可能であるにもかかわらず、同様に、ハンドストラップ３００の連結具３１０および第１部分３２０は、ハンドストラップ３００の安全解放具３４０、調節バックル３６０および第２部分３５０と同じく、あらかじめ取り付けられている。ハンドル４００もあらかじめ取り付けられていて、ハンドストラップ３００の第２部分３５０から容易に脱合することはない。このようにして、親は、ハンドストラップ３００をカラビナ２００に対して容易に追加しまたは取り去り、装置を堅持する子どもの人数が変化するに応じて、装置を効果的に再構成することができる。リストストラップ１００が他の物に変更されることを要求する種類の再構成、またはハンドル４００の変更は、使用者が不可逆的な損傷を装置に対して加えることなく可能であり得るが、より多くの時間を必要とするかまたは多数のステップを必要とするプロセスを要求する。係る連結が、半永久的である（装置の複数使用にわたって継続する）とされるためである。
【００２１】
図３Ａは、本開示技術の実施形態において用いられる、カラビナを有するリストストラップの側面図である。図３Ｂは、図３Ａに示す装置の正面図である。図３Ｃは、図３Ａに示す装置の反対側の側面図である。リストストラップ１００は、任意の種類の、ストラップ、連結具、編み地ループ、貫通孔を有する剛性ハンドル等であってもよい。カラビナ２００は、Ｄ字形リング、Ｏ字形リング、または連結具を動作可能に連結するための止め具を両端に有する棒材さえも含む、任意の種類のリングであってよい。リストストラップ１００を取り付けるための穴２１０が、カラビナ２００に含まれてもよい。またはリストストラップ１００の対応する連結具と係合するため等の連結具が、カラビナ２００に配置されてもよい。カラビナ２００は、本開示技術の実施形態において、ハンドストラップを追加すること、または取り去ることを可能にするための、または潜在的にベビーカーに対する直接の取り付けを可能にするための、開口部を備える。他の実施形態において、ハンドストラップは、カラビナ２００への取り付けのための連結機構（図３Ｂのカラビナに示されるような開口部等）を有する。
【００２２】
図４Ａは、本開示技術の実施形態において用いられる、ハンドルを有するハンドストラップの側面図である。図４Ｂは、図４Ａに示す装置の正面図である。図４Ｃは、図４Ａに示す装置の反対側の側面図である。ハンドル４００は、あらかじめ取り付けられる等の方法により、ハンドルストラップ３００の下側部分３５０に取り付けられる。安全解放具３４０は、ハンドルストラップの下側部分３５０を上側部分３２０に連結し、連結具３１０は上側部分３２０にあらかじめ取り付けられている。ハンドルストラップ３２０の上側部分は、本開示技術の実施形態において、永久的に調節クリップ３６０にループ状に通されている。連結具３１０は、カラビナ２００に対して動作可能に係合／連結し、図示されるようにＤ字形、または円形であってもよい。ハンドルストラップ３００の長さは、ハンドルストラップに用いられる編み地の部分を二重にすることにより長さを加減する調節バックル３６０により、調節可能であってもよい。安全解放具３４０は、本開示技術の実施形態において、前面に、または、緊急時またはもつれ等の場合に、押下されるとハンドルストラップ３００の上側部分および下側部分を互いから分離し、ハンドル４００を堅持する子どもをカラビナ２００から迅速に脱合する面に、押し下げ可能ボタンを有する。ハンドルストラップ３００は、剛性または可撓性でもよい。長さは、所定の値でもよく、または、子どもを親から一定の距離内に留めることが可能なよう親により変更可能であってもよい。
【００２３】
図５は、本開示技術の実施形態において用いられるハンドルを示す。ハンドルは、子どもの玩具であってもよく、色、寸法、形状、または感触において異なってもよい。複数のハンドルが、単一のリストストラップ１００に取り付けられている、および／または複数のハンドルが、一人の親の完全な管理下または部分的管理下にある等の、本開示技術に係る装置を使用する際に用いられる複数のハンドルのうちの全ハンドルは、上述した（色、寸法、その他）変化手段のうちの１つまたは複数により、互いに異なってもよい。図５に示すハンドルの実施形態において、ハンドルは、ハンドルに対する着脱可能な連結またはあらかじめ取り付けられた連結により、ハンドストラップをハンドルに係合するための連結孔４５０を備える。把握孔４６０は、子どもによる容易なる把握可能な係合を可能にし、その結果、係る子どもは、親に「導かれ」ながら、装置を堅持し得る。子どもに魅力を覚えさせる等の、任意の形状のハンドルを用いてもよい。
【００２４】
図６は、単一のハンドストラップおよびハンドルを有する、本開示技術の実施形態に係るキット全体を示す。単一のハンドルが取り付けられている図６において、ハンドル４００は、ハンドルストラップ３００の下側部分３５０に取り付けられ、ストラップは、安全解放具３４０および上側部分３２０をさらに備える。本開示技術の実施形態において、上側部分および下側部分が単体部品であって、調節バックル３６０ならびに安全解放具３４０が装置の構成から省略されてもよい。ハンドストラップ３００の連結具３１０がカラビナ２００または他の連結機構に着し、それにより、リストストラップ１００に対してハンドストラップ３００は回転可能に係合することが可能となる。図示の実施形態において、連結具３１０は、カラビナ２００のリングの１部分を連結具３１０のループに通すことにより、カラビナ２００に取り付けられる。
【００２５】
図７は、複数のハンドストラップおよびハンドルを有する、本開示技術の実施形態に係るキット全体を示す。図７の全要素は、図面の明確さのために、番号が付されていないが、図６および他の図面の要素の反復である。ここで、対応するハンドル（この場合、同一のハンドル）を有する複数のハンドルストラップは、取付機構であるカラビナに着脱可能に取り付けられ／係合され、次に、このカラビナはリストストラップにあらかじめ取り付けられている。このようにして、親は、例えば、複数の子どもとともに歩行し得る。各子どもは、全ハンドルのうちの１つのハンドルを堅持し、各ハンドルは、ハンドルストラップにあらかじめ取り付けられ（すなわち、子どもがハンドルを把握する前／子どもとともに歩行するために装置を使用する前に、取り付けられ）ている。各子どもは、別個のハンドルを堅持するよう指示される。
【００２６】
親が前方に歩行し、子どもが、離れるか、または親の運動と逆方向に向かって脇に寄るかすると、親は用心することができる一方で、子どもは、積極的な力づけおよび親との連帯感を得て、堅持および把握する物を有し、親とつながりを保つことができる。さらに、ハスキー種のそり犬は単独では思うまま任意の方向に向かって脇に寄るのに対し群になると人間が導く方向に集団で歩行するのとほぼ同じ「集団思考」の心情をもって、１群の子どもは様々なハンドルを堅持すると集団で歩行するものである。子どもは、自分が支配権を有すると感じ（子どもは任意のときに把握を解放することができる）、親は、自分の手および心を、他の物で占められるよう、実質的に解放することができる。このように、親の移動および子どもの移動が、身体面および精神面の両方において、より効果的なものとなり、且つより苛立ちの少ないものとなる。約言すれば、図７に示す装置は、家族が協調する能力をより高めるものである。不適切なときに、子どもがハンドルを自発的に解放する場合には、子どもの独立性を抑制するかどうかの判断は、親に一任される。
【００２７】
図８は、使用者が、本開示技術の実施形態における、カラビナおよび複数のハンドストラップに連結されたリストストラップを保持することの詳細を示す。図示する実施形態において、手１８０を有する親等の使用者は、リストストラップ１００を自分の手または手首の周囲に巻き付け、リストストラップ１００を把握する。図示するように、いくつかのハンドルストラップ３００は、カラビナ２００に取り付けられ、それにより、親は、所望する人数の子どもを、引く、監督する、または案内することができる。
【００２８】
図９は、本開示技術の実施形態における、ベビーカーに連結され、且つ、カラビナおよび複数のハンドストラップに連結されたリストストラップの詳細を示す。ここで、リストストラップ１００は、ベビーカー１９０の１部分にループ状に巻き付けられる。リストストラップ１００は、係る実施形態において、リストストラップをベビーカーまたは他の装置に容易に着脱することを可能にするために、留め金、雄／雌の噛み合いストラップ、フック、閉鎖可能フック等の連結具を備えてもよい。（いくつかのベビーカーは、ハンドルストラップの噛み合いの必要なしに、カラビナが直接ベビーカーに嵌ることを可能にするものもある。）リストストラップ１００は、図面に示すように、ループであってもよく、人は、ストラップがベビーカー部分１９０の周囲に結ばれるよう、装置自体をベビーカーの部品のまわりにループを通すことにより、ループをベビーカーまたは他の装置に取り付けてもよい。このように、親の手は自由になる。この例において、６歳児、５歳児、および１歳児を有する親が、遊園地を歩行しながら、本装置を使用するものと仮定する。リストストラップ１００は、１歳児が位置するベビーカーに対して取り付けられた状態を保ち、６歳児および５歳児は、リストストラップに対して取り付けられた、さらに究極的にはベビーカーに対して取り付けられたハンドル４００をそれぞれ把握する。親は、このとき、３人の子ども全員を「動かす」（導く）には、ただベビーカーを押すのみでよい。その間、親は機動力を有し、自由に手を離し、自分のポケット内で呼び出し音を発する電話を掴む等の行為をなすことができる。２人の親がともに歩行する場合、１人は他のことを行えるよう完全に自由であり、さらに、ベビーカーに対してハンドストラップを振り向けることにより、子ども全員をベビーカーの１つの側に集めることができる。すると、他方の親は、ベビーカーを押す親の隣で、子どもに躓くことの、または子どもを踏みつけることの懸念のはるかに少ない状態で、自由に歩くことができる。
【００２９】
本開示技術を上述した特定の実施形態に参照しつつ、教示してきたが、当業者は、本開示技術の精神および範囲から逸脱することなく、形態および細部における変更が可能であることを理解するであろう。説明した実施形態は、すべての面で、限定的ではなく例示的であるとのみとらえられるべきである。請求項の均等の範囲または意味に含まれるすべての変更が、請求項の範囲に含まれるべきである。上述した方法、システム、装置のうちのいずれの組合せもまた、本発明の範囲に含まれると理解すべきである。
【符号の説明】
【００３０】
１００  リストストラップ
１５０  連結具
２００  カラビナ
２１０  穴
２５０  カラビナ開口部
３００  ハンドストラップ
３１０  連結具
３４０  安全解放具
４００  ハンドル
【図１】
2011120910.tif 000003
【図２】
2011120910.tif 000004
【図３Ａ】
2011120910.tif 000005
【図３Ｂ】
2011120910.tif 000006
【図３Ｃ】
2011120910.tif 000007
【図４Ａ】
2011120910.tif 000008
【図４Ｂ】
2011120910.tif 000009
【図４Ｃ】
2011120910.tif 000010
【図５】
2011120910.tif 000011
【図６】
2011120910.tif 000012
【図７】
2011120910.tif 000013
【図８】
2011120910.tif 000014
【図９】
2011120910.tif 000015